(57)【要約】      （修正有）【課題】身体障害者の社会的な野外活動を支援するためには、健康のみならず用便にも配慮する必要があり、野外活動でも、特に、場所の移動を伴う活動に伴って、どこに場所の移動があっても、何時でも利用でき、移動や利用を衛生的かつ容易にできるトイレ施設を提供する。【解決手段】貨物自動車の荷台の内法に基礎柱を縦横に連結し、この基礎柱に支柱を林立し、この支柱の上部に梁を架けて枠組を構築し、かつ、この枠組に屋根・床・壁・扉を形成することによって建造したコンテナーの内部を三つに区割りし、前部にトイレ施設、中部に休憩・救急医療施設、後部にステップを設置した身体障害者の野外活動支援車という構成からなる。【選択図】図１
0003156272.tif 000002
【実用新案登録請求の範囲】
【請求項１】
身体障害者の野外活動を支援するために、貨物自動車の荷台の内法に縦横に連結した基礎柱に支柱を林立し、この支柱の上部に梁を架けて枠組を構築し、かつ、この枠組に屋根・床・壁・扉を形成することによって建造したコンテナーの内部を前部・中部・後部に区割り、前部にトイレ施設、中部に休憩・救急医療施設、後部にステップを設置した、身体障害者の野外活動支援車。
【請求項２】
貨物自動車の荷台の前部にあるトイレ施設内の便器の下部に据え置いた、大鋸屑に沁み込ませた大小便をスクリュウで回転し、かつ、ヒーターで過熱し、まんべんなく発酵させるバイオ処理型の便槽、また、この動力を供給するために荷台に備置した灯油型発電機を特徴とする請求項１の身体障害者の野外活動支援車。
【請求項３】
貨物自動車の荷台にあるトイレ施設及び休憩・救急医療施設を車椅子の身体障害者にも利用させるために、ステプの片側に寄せて設置した、プレートの上下に伴って車椅子を乗降し、かつ、これを折り畳みによってコンパクト化するカーリフトを特徴とする請求項１の身体障害者の野外活動支援車。
【請求項４】
貨物自動車の荷台に構築された枠組の内外に設置された照明灯、また、この電力を供給するために屋根に設置した、太陽熱を反射板に集めて発電するソーラーパネルを特徴とする請求項１の身体障害者の野外活動支援車。
【考案の詳細な説明】
【技術分野】
【０００１】  この考案は、トイレ施設及び休憩・救急医療施設を具備した身体障害者の野外活動支援車に関するものである。
【背景技術】
【０００２】  身体障害者の社会的な参加とこれに対する支援は、今日的な課題である。身体障害者は、スポーツ・音楽等のリクレーション活動、政治的・社会的な活動に参加する。この活動は、屋内の施設ばかりではなく、広場・公園・道路等の野外の施設のこともある。【０００３】  ところが、野外活動では、身体障害者の健康及び用便の配慮を必要とし、特に、用便の問題が深刻となる。休息や救急処置をその場で適宜に施し、身体障害者の健康を配慮できるのに対し、用便はその場で処理するわけにはいかないからである。【０００４】  野外活動でも、公園・広場等の場所の移動を伴わない活動には、用便の問題はない。公衆トイレの設備があればよい。公衆トイレの設備がないとしても、仮設のトイレを設置すればよいし、あるいは、付近の事業所・民家等のトイレを借用してもよい。【０００５】  これに対し、野外活動でも、道路等の場所の移動を伴う活動には、用便の問題が残る。野外活動の進行に応じて、仮設のトイレを順次移動し、あるいは、これを各所に点在させるのも困難である。また、付近の事業所・民家等のトイレの借用も難儀なことである。【０００６】  そこで、仮設トイレやポータブルトイレを自動車に積載しかつ運搬することも試みられるかもしれない。しかし、これには困難が伴う。自動車の運搬には、衛生上の観点から法規の制約を受けるし、また、実際の使用には、自動車の乗降や周囲の状況の配慮を必要とするからである。【０００７】  そうすると、実際には、用便を必要とする身体障害者を公衆トイレまで自動車で搬送することになり、身体障害者の社会参加を妨げる。この搬送に要する距離と時間に応じて、野外活動を休止する時間が長引き、かつ、この搬送によって、事故発生の危険も高まるからである。
【考案の開示】
【考案が解決しようとする課題】
【０００８】  この考案が解決しようする問題点は、次の通りである。【０００９】  一つには、身体障害者の野外活動に対する参加を支援するためには、疲労し、あるいは、調子を崩した者に対し、休憩所及びＡＥＤや救急セット等の救急医療装置を提供して、身体障害者の健康に配慮する必要がある。【００１０】  二つには、身体障害者の野外活動に対する参加を支援するためには、身体障害者の健康のみならず、用便にも配慮し、従って、用便を必要とする身体障害者のために、トイレ施設を提供する必要がある。【００１１】  三つには、野外活動でも、特に、場所の移動を伴う活動には、この進行に伴って、どこに場所の移動があっても、身体障害者の用便に応じて、いつでも対応できるトイレ施設を提供するが必要がある。【００１２】  四つには、身体障害者の野外活動を支援するために、トイレ施設及び休憩・救急医療施設を自動車に積載し、かつ、これを運搬するとしても、衛生上の観点から法規上の制約を受けないことが必要である。【００１３】  五つには、身体障害者の野外活動を支援するために、トイレ施設及び休憩・救急医療施設を自動車に積載し、かつ、これを運搬するとしても、身体障害者が自動車を容易に乗降して、簡便に使用できることが必要である。【００１４】  四つには、身体障害者には、いろいろな態様あるから、それぞれに応じた対策、特に、車椅子の身体障害者でも、容易に、貨物自動車を乗降しかつ利用できるトイレ施設が必要である。
【課題を解決するための手段】
【００１５】  この考案が解決する手段は、次の通りである。【００１６】  先ず、身体障害者の野外活動を支援するために、貨物自動車（１）の荷台の内法に縦横に連結した基礎柱に支柱を林立し、この支柱の上部に梁を架けて枠組を構築し、かつ、この枠組に屋根・床・壁・扉を形成し、コンテナー（４）を建造し、また、このコンテナー（４）の内部を前部（５）・中部（６）・後部（７）と三区画に割り、それぞれ、前部（５）にトイレ施設、中部（６）に休憩・救急医療施設、後部（７）にステップを設置した、身体障害者の野外活動支援車である。【００１７】  次に、前部のトイレ施設（５）内にある便器（１１）の下部には、大鋸屑に染み込ませた大小便をヒーターで加熱し、かつ、スクリュウで回転し、まんべんなく発酵させるバイオ処理型便槽（１２）を据え置き、また、この動力を供給する灯油型発電機（８）を荷台に設置した、身体障害者の野外活動支援車である。【００１８】  更に、貨物自動車（１）の荷台にあるトイレ施設（５）及び休憩・救急医療施設（６）を車椅子の身体障害者が利用するために、プレートの上下に伴って車椅子を乗降し、かつ、折畳みによってコンパクト化するカーリフト（１９）をステップ（７）の片側に寄せて設置した、身体障害者の野外活動支援車である。【００１９】  最後に、貨物自動車（１）の荷台に構築された枠組の屋根には、太陽光を反射板に集めて発電するためのソーラーパネル（２３）を設置し、また、この電力で燈す内外の照明灯（２１）（２２）を設置した、身体障害者の野外活動支援車である。
【考案の効果】
【００２０】  この考案の効果は、次の通りである。【００２１】  先ず、身体障害者が場所の移動を伴う野外活動に参加したとしても、この移動の進行に伴って、トイレ施設（５）を具備した身体障害者の野外活動支援車が移動するから、身体障害者は、いつでも、どこでも、用便の問題に心配することなく、社会活動に参加できる。【００２２】  次に、野外活動支援車には、トイレ施設（５）だけではなく、休息及び救急医療施設（６）をも装備するから、身体障害者が用便に限らず、疲労し、あるいは、調子の悪くなった状対を心配することなく、社会活動に安心して参加できる。【００２３】  更に、身体障害者にも、いろいろな態様があるが、特に、車椅子の者でも、カーリフト（１９）があれば、この野外活動支援車のトイレ施設（５）のみならず、休息及び救急設備（６）を容易に利用することができる。【００２４】  最後に、野外活動支援車は、身体障害者の野外活動を支援するだけではなく、大小便をバイオ処理する便槽（１２）を設置し、従って、臭気がほとんど周囲に漏れないし、また、大小便を農業用の資料とするから、環境衛生の向上と資源の活用になる。
【最良の実施例】
【００２５】  この考案の最良の実施例は、次の通りである。
【００２６】  貨物自動車（１）の荷台の内法に縦横に連結した基礎柱に支柱を林立し、かつ、この支柱の上部に梁を架けて枠組を構築し、また、この枠組に床・壁・屋根を形成し、コンテナー（４）を建造する。
【００２７】  この枠組の内部を三区画に割り、便器（１１）及び介護用の手すり（１４）を配置するトイレ施設を前部（５）に、手洗（１５）や鏡（１６）、折り畳みイスやベッド（１７）、ＡＥＤや救急セットを配置する休憩・救急医療施設（６）を中部に、これらの施設を利用するためのステップを後部（７）に設置する。
【００２８】  前部のトイレ施設（５）内にある便器（１１）の下部に、灯油型発電機（８）の電力によって、大鋸屑に染み込ませた大小便をスクリュウで回転し、かつ、ヒーターで加熱して発酵させるバイオ処理型の便層（１２）を据え置きする。
【００２９】  後部のステップ（７）の片側には、車椅子の身体障身体障害者がこれらの施設を容易に利用するために、プレートの上下に伴って車椅子を乗降し、かつ、折り畳みによってコンパクト化するカーリフト（１９）を設置する。
【００３０】  これらの枠組の屋根には、太陽光を反射板に集めて発電するソーラーパネル（２３）を設置する。
【実施例】
【００３１】  この考案の実施例は、次の通りである。【００３２】  身体障害者の野外活動支援車は、野外活動、特に、場所の移動を伴う活動に参加した身体障害者に対し、休憩・救急医療施設（６）及びトイレ施設（５）を提供し、身体障害者の健康及び用便に配慮することを目的とする。【００３３】  貨物自動車（１）を身体障害者の野外活動支援車とする。この荷台には、バイオ処理型便槽（１２）・エアコン（２０）・カーリフト（１９）に電力を供給する灯油型発電機（８）及びエアコン（２０）の室外機（９）を設置するために、運転室からスペース（３）を空けて、コンテナー（４）を建造する。【００３４】  貨物自動車（１）の荷台の内法には、スチール製の基礎柱を縦横に連結し、かつ、この基礎柱にスチール製の支柱を適宜な位置に林立し、また、その上部の先端にスチール製の梁を架して枠組を構築する。【００３５】  この枠組の支柱や梁に断熱材を内蔵するパネル板をもって蔽いをし、壁や屋根を形成し、また、滑り止め処理のアルミ板を水平に張って、バリアフリーの床とする。これによって、コンテナー（４）が完成する。【００３６】  コンテナー（４）の内部を前部（５）・中部（６）・後部（７）の三区画に割る。前部（５）は、身体障害者の用便に供するためのトイレ施設とし、中部（６）は、身体障害者の健康を図るための休憩・救急医療施設とし、後部（７）は、これらの施設を身体障害者が利用するためのステップとする。【００３７】  前部のトイレ施設（５）を二室に区分し、それぞれに、洋式の便器（１１）及びその両側に介護用のＬ型手すり（１４）を配置する。両室の天井に室内照明灯（２１）を設置し、かつ、両室を仕切る壁の上部を隙間にし、エアコン（２０）を装備する。前部の外壁を構成するパネル板に小窓（１３）を開け、かつ、ドアの開閉をもって出入りする。【００３８】  「廃棄物の処理及び清掃に関する法律施行令」（昭和４６年９月２３日政令第三）第３条は、一般廃棄物の運搬について、「運搬車、運搬容器及び運搬用パイプラインは、一般廃棄物が飛散し、及び流出し、並びに悪臭が漏れるおそれのないものであること」を求める。【００３９】  これに適合するために、この二つの洋式の便器（１１）の下部には、ステンレス製の容器からなるバイオ処理式の便槽（１２）を据え置きする。この中に入れた大鋸屑で吸収した大小便を底部のヒーターをもって加熱し、かつ、中間に設置したスクリュウの回転により、まんべんなく発酵させ、また、これより生ずるガスを排気筒（１０）から排出する。【００４０】  この便槽（１２）は、汲み取り式ではなく、バイオ処理されるから、周囲に臭気がほとんど漏れることがないし、また、この処理された大鋸屑を排出口より取り出し、農業用の堆肥として利用する。【００４１】  中部（６）は、身体障害者にとって、トイレ施設（５）を利用する通路であり、かつ、休息・救急医療施設（６）となる。この天井に室内灯（２１）を設置し、一方の壁に手洗（１５）及び鏡（１６）を取り付け、かつ、ＡＥＤや医療セット等を常備する。他方の壁に寄せて、折畳式のイスやベッド（１７）を配置する。アコーディオンカーテンあるいはシャッター（１８）の開閉をもって出入りする。【００４２】  後部（７）は、身体障害者が貨物自動車を乗降するステップであり、かつ、トイレ施設（５）や休憩・救急医療施設（６）を利用するための通路となる。これは、屋根及び外壁で覆い、コンテナー（４）の内部としてもよいし、または、周囲を見渡すために、開放的なものとし、かつ、転落の危険を防止するために、両脇に柵を付けてもよい。【００４３】  後部のステップ（７）を有効活用するために、その片側に寄せて、全自動型のカーリフト（１９）を設置する。このプレートの上下動に伴って、身体障害者の車椅子を昇降し、かつ、プレートの折畳みによって、コンパクト化し、すっきりと格納することができる。【００４４】  身体障害者の支援車は、後部のシャツターを工事標識の看板として工事規制車とし、かつ、トイレ施設（５）及び休憩・救急医療施設（６）を活用し、野外活動支援車として利用できる。そうすると、この荷台の中部（６）と後部（７）は、荷物を積載して運搬する場所となり、また、カーリフト（１９）をもって、重い荷物の上下動をすることができる。【００４５】  コンテナー（４）の外壁の両側には、外部照明灯（２２）を設置し、また、この上部の屋根には、太陽光を反射板に集めて発電するソーラーパネル（２３）を設置し、室内外灯（２１）（２２）及びエアコン（２０）に電力を供給する。
【図面の簡単な説明】
【００４６】
【図１】  本考案の貨物自動車の横断面図である。
【図２】  本考案の貨物自動車の側面図である。
【図３】  本考案の貨物自動車の背面図である。
【符号の説明】
【００４７】  １    貨物自動車
２    運転室
３    スペース
４    コンテナー
５    前部  トイレ施設
６    中部  休憩・救急医療施設
７    後部  ステップ
８    発電機
９    エアコン室外機
１０    排気筒
１１    便器
１２    便槽
１３    窓
１４    介護用手すり
１５    手洗
１６    鏡
１７    折畳式イス・ベッド
１８    アコーディオンカーテン
１９    カーリフト
２０    エアコン
２１    窓内照明灯
２２    外部照明灯
２３    ソーラーパネル
２４    排出口
【図１】
0003156272.tif 000003
【図２】
0003156272.tif 000004
【図３】
0003156272.tif 000005